(57)【要約】【課題】吸収体を配置した立体領域を使用者の身体の複雑な曲線に対応して、密接にフィットさせることで、排出された体液等が外に漏れだすことを防止することができる吸収性製品を提供すること。【解決手段】一方向に長い形状を有しており、液体の透過を防止するバックシート３９と、身体に接触する面側に配置される液体透過性の表面材２８と、前記バックシートと前記表面材との間に配置されて前記表面材を透過した液体を吸収して保持する吸収体２３，３３とを備えていて、製品の長手方向Ｌと直交する短手方向Ｔの両端付近における長手方向Ｌの中央領域には、それぞれ長手方向に沿って配置された弾性体１７，１７の作用によって前記バックシートから離間する方向に付勢された立体領域２５，２５が形成されており、前記立体領域には、前記吸収体が配置されていて、この吸収体にスリット１５，１５・・・を設けた。【選択図】　　　　図２
2004089271.tif 000002
【特許請求の範囲】
【請求項１】
一方向に長い形状を有しており、
液体の透過を防止するバックシートと、
身体に接触する面側に配置される液体透過性の表面材と、
前記バックシートと前記表面材との間に配置されて前記表面材を透過した液体を吸収して保持する吸収体と
を備えていて、
製品の長手方向と直交する短手方向の両端付近における、少なくとも長手方向中央領域には、それぞれ長手方向に沿って配置された弾性体の作用によって前記バックシートから離間する方向に付勢された立体領域が形成されており、
前記立体領域には、前記吸収体が配置されており、この吸収体にスリットを設けた
ことを特徴とする、吸収性製品。
【請求項２】
前記スリットが、製品の長手方向の中央領域に設けられていることを特徴とする、請求項１に記載の吸収性製品。
【請求項３】
前記立体領域が、前記弾性体の作用により立ち上がる立体ギャザー部と、この立体ギャザー部の内側で、液体等の排出を阻止するためのバリア部とを有し、このバリア部に前記吸収体と、この吸収体に設けたスリットとを備えることを特徴とする、請求項１または２のいずれかに記載の吸収性製品。
【請求項４】
前記立体領域が、前記弾性体の作用により立ち上がる立体ギャザー部であり、この立体ギャザー部に前記吸収体、この吸収体に設けたスリットとを備えることを特徴とする、請求項１または２のいずれかに記載の吸収性製品。
【請求項５】
前記吸収体が、同種の吸収体もしくは異なる種類の吸収体を積層したものであり、積層したいずれかの吸収体層に前記スリットを形成したことを特徴とする、請求項１ないし４のいずれかに記載の吸収性製品。
【請求項６】
前記スリットが、吸収体の側縁部において内側から外側に延びるように形成され、かつこのような複数のスリットが製品の長手方向に沿って複数形成されていることを特徴とする、請求項１ないし５のいずれかに記載の吸収性製品。
【発明の詳細な説明】
【０００１】
【発明の属する技術分野】
本発明は、たとえば使い捨てのオシメや生理用ナプキン、失禁用パッドなどに適用され、尿などの体液を吸収保持するための吸収性製品および吸収性製品の製造方法に関するものである。
【０００２】
【従来の技術】
従来、吸収性製品としての、失禁パッドや生理用ナプキンは、一般的には、
一方向に長い長方形もしくは長円形に形成したパット体であり、下着の股部に対応した位置において、前後に長さ方向を合わせて装着されることで、使用者が排出した尿や便等の排泄物を受容するようになっている。
このような吸収性製品は、使用者が装着したときに外面となる箇所には、液体不透過性のシート材が適用され、その内側には尿等の液体を吸収するための吸収材が配置され、さらにその内側で使用者の肌と接触する箇所には、液体を透過するシート材が配置されている。
【０００３】
これにより、排泄物である尿等は、液体を透過するシート材を透過して、吸収材に吸収され、さらに、液体不透過性のシート材により外部にしみ出たりすることが防止される。
【０００４】
【発明が解決しようとする課題】
ところが、従来の失禁パッド等の吸収性製品は、複雑な凹凸を有する使用者の下半身に形態に、じゅうぶんに追従して接触することができず、このため、
使用者の身体と間に隙間を生じて、排泄物がこの隙間等から漏れるという不都合があった。
【０００５】
特に、広く使用されている失禁パッド等では、その両サイド部分を起立させる所謂、股ギャザー構造や、その内側でさらに障壁を作る立体ギャザー構造等を採用している。そして、この立体ギャザーは、単に排出される液体が横方向に漏れる流れを止めるだけでなく、液体等を積極的に吸収させるために、吸収体を配置することも行われている（特許第２８９９２７３号）。
しかしながら、このような立体ギャザーでは、吸収体を配置するために、その剛性により、身体の前後の曲線に適切にフィットするように形状変化させることが困難となり、装着した人の身体への当接が不十分となる場合がある。このため隙間を生じると、排出された液体等の横漏れの原因ともなる。
【０００６】
そこで、本発明は、失禁パッド，生理用ナプキン等の吸収性製品において、
吸収体を配置した立体領域を使用者の身体の複雑な曲線に対応して、密接にフィットさせることで、排出された体液等が外に漏れだすことを防止することができる吸収性製品を提供することを目的としている。
【０００７】
【課題を解決するための手段】
上記目的は、請求項１の発明によれば、一方向に長い形状を有しており、液体の透過を防止するバックシートと、身体に接触する面側に配置される液体透過性の表面材と、前記バックシートと前記表面材との間に配置されて前記表面材を透過した液体を吸収して保持する吸収体とを備えていて、製品の長手方向と直交する短手方向の両端付近における、少なくとも長手方向中央領域には、
それぞれ長手方向に沿って配置された弾性体の作用によって前記バックシートから離間する方向に付勢された立体領域が形成されており、前記立体領域には、前記吸収体が配置されていて、この吸収体にスリットを設けた、吸収性製品により、達成される。
【０００８】
請求項１の構成によれば、本発明の吸収性製品は、複数のシート状材料を積層固着して一方向に長い基本形状を有している。前記バックシートは液体の透過を防止する。前記表面材は身体に接触する面側に配置される液体透過性のものである。前記吸収体はバックシートと表面材の間に配置されて表面材を透過した液体を吸収して保持する。
そして、この発明では、製品の長手方向と直交する短手方向の両端付近における、少なくとも長手方向中央領域、すなわち、製品の両サイド部分には、長手方向に沿って配置された弾性体の作用によって前記バックシートから離間する方向に付勢された立体領域、すなわち、例えば、立体ギャザー部等の立体構造が配置されている。しかもこの立体領域には、単に排出される液体の流れを止めるだけでなく、液体等を積極的に吸収させるために、吸収体が配置されている。しかしながら、吸収体が配置されていると、その剛性等により、製品を着用した際に、この立体領域に関しては身体にフィットする形状に変形しにくい場合がある。このため、立体領域の吸収体にスリットを設けることで、このスリットの箇所で折れ曲がることにより、変形を容易にすることができ、製品の両サイド部分に配置された立体構造が、その吸収体により、確実にサイド部からの漏れだしを防止できる。
【０００９】
請求項２の発明は、請求項１の構成において、前記スリットが、製品の長手方向の中央領域に設けられていることを特徴とする。
請求項２の構成によれば、製品の長手方向（製品の長さ方向と同じ）の中央領域は、吸収性製品のうち、失禁パッド等においては、製品を使用者が着用した際における股間にあたり、身体の前後方向の曲面変化が比較的おおきな領域に相当する位置であるとともに、最も漏れが発生しやすい部位となる。このため、このような箇所の吸収体にスリットを設けることで、製品を効果的に身体にフィットさせることができる。
【００１０】
請求項３の発明は、請求項１または２のいずれかの構成において、前記立体領域が、前記弾性体の作用により立ち上がる立体ギャザー部と、この立体ギャザー部の内側で、液体等の排出を阻止するためのバリア部とを有し、このバリア部に前記吸収体と、この吸収体に設けたスリットとを備えることを特徴とする。
請求項３の構成によれば、前記立体領域は、立体ギャザー部と他のバリア構成等を含む場合があるが、この立体ギャザー部以外のバリア部に吸収体を配置した場合には、この吸収体にスリットを設けることができ、バリア部の吸収体で吸収させつつ、立体ギャザー部でせき止められた液体等があった場合でも、
そのまま吸収体まで戻って吸収されることとなる。
【００１１】
請求項４の発明は、請求項１または２のいずれかの構成において、前記立体領域が、前記弾性体の作用により立ち上がる立体ギャザー部であり、この立体ギャザー部に前記吸収体と、この吸収体に設けたスリットとを備えることを特徴とする。
請求項４の構成によれば、前記立体領域は、立体ギャザー部と他のバリア構成等を含む場合があるが、この立体ギャザー部自体に吸収体を配置した場合には、この吸収体にスリットを設けることができる。
【００１２】
請求項５の発明は、請求項１ないし４のいずれかの構成において、前記吸収体が、同種の吸収体もしくは異なる種類の吸収体を積層したものであり、積層したいずれかの吸収体層に前記スリットを形成したことを特徴とする。
請求項６の構成によれば、吸収体の機能の違いに基づいて、異なる種類の吸収体を組み合わせた場合には、より変形しにくい吸収体が立体領域に配置されるように積層された場合でも、前記スリットにより、確実に立体領域を形成できる。
【００１３】
請求項６の発明は、請求項１ないし５のいずれかの構成において、前記スリットが、吸収体の側縁部において内側から外側に延びるように形成され、かつこのような複数のスリットが製品の長手方向に沿って複数形成されていることを特徴とする。
請求項６の構成によれば、前記スリットは製品の短手方向に延びる形態となり、製品を装着した状態において、複数の各スリットが少しずつ変形することで、全体として、身体の前後の方向に沿った曲面に沿うように変形させやすい。
【００１４】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
図１ないし図４は、本発明の第１の実施形態に係る吸収性製品が示されており、その一例として失禁パッドの構成を示している。この実施形態では、吸収性製品を代表させて失禁パッドに適用した例を説明するが、全体の大きさの多少変えることで、同一の構造にて、生理用ナプキンやオシメにも適用できるものである。ここで、図１は、失禁パッド２０を正面から見た概略斜視図であり、図中「前」と表示されている方が装着時に身体の前面側となる（他の図面に関しても同様）。図２は、図１の失禁パッド２０の概略平面図であり、図３は図２のＡ−Ａ線概略断面図、図４は図２のＢ−Ｂ線概略断面図である。
【００１６】
図１に示されているように、失禁パッド２０は、前後に長い形状を有している。失禁パッド２０の両側縁付近には、それぞれ立体ギャザー部２６，２６が立ち上がっており、排泄された液体等が側方に漏れようとする場合の障壁とされている。立体ギャザー部２６，２６の内側（図１、図３では上側）には、サイドバリア部２５，２５が形成されている。この立体ギャザー部２６，２６とサイドバリア部２５，２５が、立体領域である。さらに、これら立体ギャザー部２６，２６の下側には、股ギャザー部３１が設けらていて、使用者の股部に密着し、排泄された液体等が立体ギャザー部２６，２６から僅かに漏れても、
外部に漏れないようにされている。
【００１７】
図２ないし図４は、上述の各部位を形成するための詳細な構造を示しており、これらの図を参照しながら、失禁パッド２０の構造をさらに詳しく説明する。なお、図２ないし図４に示される断面は、理解の便宜のために部分的に実際よりも厚みを大きくして示している。
図３に示されているように、失禁パッド２０は、使用者の身体に当接する側にセンター表面材２８が配置されている。このセンター表面材２８は、ティッシュ２７で包まれた吸収体である第１の吸収体２３を覆う構造とされている。
【００１８】
ティッシュ２７と第１の吸収体２３は、使用者により排出された液体等を吸収して保持するための部分である。
ティッシュ２３は、液体等を吸収する柔らかい材質、たとえばパルプ（バージンパルプ、古紙再生パルプ）、レーヨン、コットン、ケナフ、バガス、シルク、親水処理をした繊維（ポリオレフィン系、ポリエステル、アクリル）などを単一又は複合してシート化したものを用いることができる。
ティッシュ２７は、第１の吸収層２３を覆って、内容物の一部が漏れたり脱落するのを防ぐためのもので、図３及び図４に示すように、短手方向Ｔにおける中心からずれた部分で重ねて接合されている。これにより、後述する弾性体４５の収縮力を妨げないように配置されることになる。
【００１９】
センター表面材２８は直接使用者の肌に触れるために、肌を必要以上に損なうことなく肌触りの良い点を考慮してこれに適した材料が選択される。センター表面材２８は内側のシートもしくはトップシート等とも呼んでおり、液体を透過させ特に速やかに液体成分が透過されるのに適した材質の繊維として、たとえば種々の天然繊維、合成繊維あるいはこれらの組み合わせから選択できる。たとえば合成繊維としては一例としてポリエステルやポリプロピレンのファイバーを素材として液体透過性をよくするように形成した繊維が好ましい。例えば、センター表面材２８が不織布で作られる場合には、例えば、湿式不織布（紙、ティッシュ、ハイドロスパン（デクスター社）、ケミカルボンド（又はレジンボンド）、サーマルボンド（エンボス、エアスルー）、エアレイド、スパンレース、スパンボンド、メルトブローン、ニードルパンチ、ステッチボンド、そしてスパンボンドとメルトブローン不織布を複合して作られたＳＭ不織布（スパンボンドとメルトブローンの積層体）、ＳＭＳ不織布（スパンボンドとメルトブローンとスパンボンドの積層体）等が採用できる。この中ではセンター表面材２８の材質としては、特にサーマルボンド、スパンボンド、スパンレースが好ましい。
【００２０】
また、この実施形態では、好ましくは、使用者の身体と接するセンター表面材２８に図１で散点状に符号Ｐで示したような微細なエンボス加工（ピンエンボス）を施している。これによりセンター表面材２８を透過する液体を第１の吸収体２３側へ急速に拡散させる機能を発揮する。
【００２１】
第１の吸収体２３は吸収した液体の保持性が高く、しかも比較的厚みが薄く嵩張らない形態とされている。この第１の吸収体２３としては、たとえばパルプ単体、もしくは必要によりパルプに吸収材であるポリマーを混合したりパルプにポリマーを散布したりして形成するパルプ吸収体が使用できるが、特にパルプ等によるシート材間にポリマーを高密度に配置してシート状としたのポリマーシート等が好ましい。ここでパルプは、たとえば木材を機械的または化学的に処理して、抽出したセルロース繊維の集合体を、例えば、接着剤等を用いてやや稠密に結合させた厚みの薄いものである。このため、第１の吸収体２３は、比較的硬く、剛性があり、型保持性も高いものである。
なお、液体等の吸収量を必ずしも多くしなくてもよい場合には、第１の吸収体２３を、液体の保持性（大容量の保持）は低いが、液体の拡散性に優れ、一旦吸収した液体がセンター表面材側に戻りにくいもの、例えば、パルプやレーヨン、ポリプロピレン、ポリエチレン、ポリエステル繊維等からなる不織布状のシート材としてもよい。
【００２２】
図３に示されているように、この第１の吸収体２３がセンター表面材２８で包まれた層の左右の端部領域は、後述する立体ギャザー部２６，２６の作用により、図において起立した姿勢で支持されている。この起立方向は、製品を使用者が着用した場合の身体に向かう方向である。この図３において起立した状態で示された領域は、立体領域の一部としてのサイドバリア部２５，２５である。このサイドバリア部２５，２５は、使用者が製品を装着した状態において、排出された液体等が横方向（図２の方向Ｔ）に向かう場合、この液体が、センター表面材２８を透過して、上記した第１の吸収体２３に吸収されて保持されるようになっている。したがって、このような液体を、なるべく立体ギャザー部２６まで透過させないように阻止し、さらに立体ギャザー部２６でせき止められた液体を吸収する機能を発揮する。
この実施形態では、特に、このサイドバリア部２５，２５の第１の吸収体２３の図３における外端付近、すなわち、図２において、失禁パッド２０の両側縁に近い第１の吸収体２３の端縁部に、スリット１５を形成することで、サイドバリア部２５，２５が使用者の身体の前後方向の曲面に適合して、密接に当接するようにされている。このスリット２５，２５については、後で詳しく説明する。
【００２３】
図３において、サイドバリア部２５，２５の下側には、失禁パッド２０の両側縁に沿って２つのサイド表面材２９，３０を配置して、立体ギャザー部２６を設けている。
すなわち、サイド表面材２９，３０は、センター表面材２８の長手方向Ｌ（図２に方向Ｌを表示）に沿って、センター表面材２８の両側に配置されている。センター表面材２８が液体を透過させることができるのに対して、サイド表面材２９，３０は液体の透過を防止する材質で作られている。
サイド表面材２９，３０の材質としては、たとえばポリオレフィン系不織布あるいはポリエステル系不織布と薄いプラスチックフィルムとを組み合わせたもの、ポリエステル系不織布等とポリエチレンフィルム等を組み合わせたもの、ＳＭ不織布、ＳＭＳ不織布等が採用できる。
【００２４】
左右の立体ギャザー部２６，２６は、それぞれサイド表面材２９，３０の少なくとも長手方向の中央部に弾性体１７を配置することで形成されている。この弾性体１７の弾性収縮能力により、折り返された各サイド表面材２９，３０の少くとも中央部（袋状の折り返し部分）には、図２に示すように立体ギャザー部２６が形成されている。この立体ギャザー部２６を形成することにより、
使用者の排泄物もしくは液体成分が失禁パッド２０の短手方向（図２の長手方向Ｌと直交する方向）Ｔに沿って外側に漏れ出さないように使用者の身体に密着して阻止する。
【００２５】
図３において、立体ギャザー部２６，２６の下層には第２の吸収体３３が配置されている。この第２の吸収体３３は、第１の吸収体２３よりも外側に配置され、第１の吸収体２３で吸収保持しきれなった液体等を吸収し保持する役割を果たすものである。このため、第２の吸収体３３は吸収した液体の保持性が高く、しかも比較的厚みが薄く嵩張らない形態とされている。この第２の吸収体２２としては、本実施形態では、上述した第１の吸収体と同じものが使用されているが、後述するような機能の異なる種類の吸収体を用いてもよい。
【００２６】
第２の吸収体３３は、その下側及び両側縁をティッシュ３４で覆い、ポリマー等の散逸が防止されている。そして、その外側（図３の下側）にはバックシート３９が配置されている。バックシート３９は、外側のシート材であり、液体の透過を防止する材質により作られている。バックシート３９の材質としては、たとえば薄いプラスチックフィルム、具体的には、ポリエチレンフィルムやポリエチレンラミネート紙等が使用できる。バックシート３９は液体は通さないが好ましくは水蒸気を透過させて蒸れを防止でき、ある程度可撓性を備えている材質を選択する。これにより失禁パッド２０の内側の内容物（汚物である固形物や尿、血液等）が外側に漏れ出ないようになっている。
【００２７】
さらに、図３において、ティッシュ３４と各サイド表面材２９，３０との間には、股ギャザー不織布３２，３５が固定されている。つまり、股ギャザー不織布３２，３５は、それぞれ帯状の形態で、製品の両サイドの長手方向Ｌに沿って配置固定され、これら股ギャザー不織布３２，３５の間は開口４１とされることで、第１の吸収体２３からの液体等が、第２の吸収体３３側へ通過することができるようにされている。なお、図３に示されている開口４１の厚さは理解の便宜のため表されているものであり、実際はティッシュ２７と第２の吸収体層は接合されている。
これら股ギャザー不織布３２，３５の各外側側縁部は、バックシート３９の各側縁部と接着されることにより、股ギャザー部３１，３１とされている。すなわち、各股ギャザー不織布３２，３５の各外側側縁部とバックシート３９の各側縁部との接着部には、それぞれ、例えば、紐状の弾性体１７，１７を挿通させることにより、立体ギャザー部２６と同様に、ギャザー構造とされている。
股ギャザー部３１は、立体ギャザー部２６と協働して、失禁パッド２０の股にあたる短手方向両端部を弾性力で引くことで、使用者の股へのフィット性を高め、使用者の排泄物もしくは液体成分が股部から漏れる事を防ぐ機能を発揮する。
【００２８】
さらに、バックシート３９の外面には仮固定用の接着部３７を設け、その上にハクリ紙３６が貼られている。
これにより、失禁パッド２０を使用する時には、このハクリ紙３６を剥離して、ずれ防止用接着部３７を露出することにより、このずれ防止用接着部３７がたとえば下着等の内面に着脱可能に粘着して貼り付くことにより、失禁パッド２０がパンツのような下着に対してずれないように固定することができることになる。
なお、バックシート３９の長手方向Ｌの中央領域における両端部を更に延伸させて、その下面に接着部を設け、延伸された部分を折り返して下着の外側面に固定するようにした、所謂ウイング部を設けてもよい。
【００２９】
さらに、本実施形態の失禁パッド２０では、図１及び図３に示されているように第１の吸収体２３は、所定の厚みを有することからチャネルエンボス部４２で区画された内側の領域が凸部４７として、使用者の身体の局部に密着することができるようになっている。これにより、身体の局部に対する隙間をできるだけ形成しないようにして、排出された液体等を横漏れ等させないように、
即座に吸収できるようにされている。特に、凸部４７は、図１及び図２に示されているように、失禁パッド２０の長手方向の中央付近で、縮幅された凹状部４７ａ，４７ｂが設けられ、チャネルエンボス部４２も同様の形状とされている。また、図２に示されているように、これに対応して、第２の吸収体３３にも失禁パッド２０の長手方向の中央付近で、縮幅された凹状部３３ａ，３３ｂが設けられている。このため、凸部４７は、使用者の身体の股部の形状に合うようにされているから、より適切にフィトして、横漏れ等を生じないようにされている。
なお、凸部４７の周囲に形成したチャネルエンボス部４２とは、所定幅の溝状に形成したエンボスであり、この場合、溝の深さが深い部分と浅い部分もしくは溝のない部分とが交互に連続するように構成してもよい。
【００３０】
また、本実施形態の失禁パッド２０では、図２の製品の長手方向Ｌの一端領域、例えば、図示の場合には、製品の後端部近傍に、変形部５１を備えている。変形部５１は、図３及び図４に示されているように、失禁パッド２０の後端の第２の吸収体３３の端部近傍から所定幅で、第２の吸収体３３に設けたスリット４６，４６を含んだ構造とされている。
第２の吸収体３３に設けられるスリット４６，４６は、一本でもよいが、好ましくは、図示のように２本設けられる。また、第１の吸収体２３には、変形部５１に対応して、切欠き部４３が設けられている。
これにより、弾性体４５の収縮力を受けたスリット部分４６，４６が図１に示すように曲折する際に、変形部５１は、図４に表れているように、弾性体４５が固定された箇所が、上方に突出したゆるやかな曲面５１ａとなり、このゆるやかな曲面５１ａから徐々に下に拡がる形状となることで、型くずれしにくい立体形状を形成することができる。
【００３１】
図５は、第１の吸収体２３に形成されるスリット１５の構成と作用について説明するための説明図である。スリット１５は、第１の吸収体２３の側縁２３ａ（図２をあわせて参照）には、側縁２３ａの内側から外側に延びるように形成されている。図２に示されているように、このようなスリット１５は、好ましくは複数形成されており、その形成位置は、好ましくは、図示されているように、失禁パッド２０の長手方向Ｌの中心付近の領域である。
具体的には、各スリット１５，１５は、図５に示されているように、製品の内側である図において手前の途中の位置から、外側である第１の吸収体２３の側縁２３ａに向かって形成されている。
尚、スリット１５，１５は、第１の吸収体２３を完全に切断する切れ目である必要はなく、幅の狭い溝状のものや、第１の吸収体１３を完全に切断しないミシン目状等の切れ目等で形成してもよい。
これにより、各スリット１５，１５は失禁パッド２０の短手方向に延びる形態となり、使用者が失禁パッド２０を装着した状態において、各スリット１５，１５のサイド表面材３０側がそれぞれ離れていくといったように、少しずつ変形することで、図５の曲線Ｒに示すように、全体として、身体の前後の方向に沿った曲面に沿うように変形させやすい。
【００３２】
本実施形態の失禁パッド２０は、以上のように構成されており、図６に示すように、パンツや紙オムツ等でなる下着ＰＡの内側の股部に対応した箇所に、
上述した仮固定用の接着部３７（図３参照）を利用して仮止めされる。
このようにして、失禁パッド２０を装着した場合の作用について、図２、図３及び図２の失禁パッド２０の左端付近のスリットを形成した箇所をを拡大して示す図７を参照して説明する。
図２において、失禁パッド２０の長手方向Ｌと直交する短手方向Ｔの両端付近、すなわち、失禁パッド２０の両サイド部分には、長手方向に沿って配置された各弾性体１７の作用によって、図３においてバックシート３９から離間する方向に付勢された立体ギャザー部２６が配置されている。
【００３３】
しかもこの立体ギャザー部２６，２６の内側（図３において上側）に位置するサイドバリア部２５，２５には、単に排出される液体の流れを止めるだけでなく、液体等を積極的に吸収させるために、第１の吸収体２３が配置されている。しかしながら、第１の吸収体２３が配置されていると、その剛性等により、失禁パッド２０を着用した際に、このサイドバリア部２５，２５を含む立体領域に関しては身体にフィットする形状に変形しにくい場合がある。このため、第１の吸収体２３にスリット１５，１５を設けることで、このスリット１５，１５の箇所で折れ曲がることにより、変形を容易にすることができる。
このため、第１の吸収体２３を配置したサイドバリア部２５，２５を使用者の身体の複雑な曲線に対応して、密接にフィットさせることで、排出された体液等が外に漏れだすことを有効に防止することができる
【００３４】
図８ないし図１０は、第１の実施形態の各変形例を示しており、これらの図は、失禁パッド２０の図７で示した箇所と対応する領域だけを表し、図７と同様にセンター表面材２８を省略して理解の便宜のためサイドバリア部２５の第１の吸収体２３を露出して示している。これらの変形例において、上述した第１の実施形態の説明に用いた符号と同一の符号を付した箇所及び図示を省略した箇所は、第１の実施形態の説明と共通する構成であるから、重複する説明は省略し、相違点を中心に説明する。
【００３５】
図８は第１の実施形態の変形例１であり、第１の吸収体２３の複数のスリット５５，５５・・・が、第１の吸収体２３の縁部２３ａにおいて内側から外側に延びるとともに、内端部５５ａ，５５ａ・・・が曲折されている。このように構成されていると、失禁パッド２０を装着する身体の位置に対応して、その曲面に合うように、より適切に身体にフィットさせた形態として選んだりすることができる。特に、内端部５５ａ，５５ａのスリットを長手方向Ｌに沿って設けたことにより、内端部５５ａ，５５ａの位置でも曲折しやすくなり、スリット５５，５５の長さの区間が肌に密接に接触し、確実に漏れを防ぐことができる。なお、内端部５５ａ，５５ａの中央にスリット５５，５５が連結するＴ字状としてもよい。
【００３６】
図９は第１の実施形態の変形例２であり、第１の吸収体２３の複数のスリット５５，５５・・・が、第１の吸収体２３の縁部２３ａにおいて内側から外側に延びるように曲線状に形成されている。
また、図１０は、第１の実施形態の変形例３であり、第１の吸収体２３の複数のスリットが、第１の吸収体２３の縁部２３ａにおいて、隣接するスリット５７，５８が内側から外側に延びるように、互いに異なる方向に斜めに形成されている。
これらの各変形例のように構成されている場合にも、失禁パッド２０を装着する身体の位置に対応して、その曲面に合うように、より適切に身体にフィットさせる利点のある形態として選ぶことができる。また、スリットは、これらの変形例の他にも、長手方向Ｌの中央部よりも前側は、図１０におけるスリット５８のように、前側から中央部に向けた角度で設け、後ろ側はスリット５７のように後ろ側から中央部に向けた角度で設ける等、フィット性を高めるために、適宜の構成を選択することができる。
【００３７】
図１１ないし図１３は、本発明の吸収性製品の第２の実施形態としての失禁パッド６０を示している。これらの図において、第１の実施形態と同一の符号を付した箇所は共通する構成であり、作用効果も同じであるから、重複する説明は省略し、相違点のみ説明する。
【００３８】
図１３に示すように、第２の実施形態の失禁パッド６０は、失禁パッド２０と比較すると、積層構造がや異なっており、また、第１の吸収体が別体の立体ギャザーにより立体領域とされたサイドバリア部が存在せず、立体ギャザー部１２６に弾性体６２，６２と第１の吸収体２３，２３がそれぞれ配置されている点が相違している。
【００３９】
すなわち、図１３に示されているように、第１の吸収体２３の上には、ティッシュ３４で包まれた第３の吸収体６１が配置されている。この第３の吸収体６１は、図１１及び図１２に示す凸部４７を形成するもので、本実施形態の凸部４７は、吸収体の構成の相違に対応して、第１の実施形態よりも高く突出しかつ柔軟な形態で形成されている。
【００４０】
この第３の吸収体６１は、本実施形態の吸収体の一部を構成するもので、主として、吸収した液体を急速に拡散させた上で保持する性質を備えるものである。第３の吸収体６１は、所謂「マット」材と呼ばれており、たとえばパルプに吸収材であるポリマーを混合したりパルプにポリマーを散布したりして形成するパルプ吸収体もしくはポリマー等が好ましい。ここでパルプは、たとえば木材を機械的または化学的に処理して、抽出したセルロース繊維の集合体であり、比較的繊維どうしの隙間がある状態で、吸収した液体の拡散を促進し、多量のポリマーを保持して、厚み方向の体積を大きくすることで液体の吸収容量を大きくしている。
【００４１】
図１３において、ティッシュ３４に包まれた第３の吸収体６１の上部を覆うセンター表面材２８は、両側方に延長され、チャネルエンボス部４２，４２を介して、立体ギャザー部１２６，１２６を形成している。
すなわち、立体ギャザー部１２６，１２６では、失禁パッド６０の長さ方向に延びる弾性体６２，６２と、この各弾性体６２，６２とともにセンター表面材２８の袋状とされた部分に収容固定されている第１の吸収体２３の両端部２３ｃ，２３ｃとを有している。
【００４２】
すなわち、この実施形態では、立体ギャザー部１２６，１２６自体に吸収体が配置されるように構成されており、第１の吸収体２３の両端部２３ｃ，２３ｃには、ぞれぞれ、第１の実施形態で詳述したように、スリット１５，１５・・・が形成されている。
【００４３】
また、弾性体６２，６２は、所定の幅を有するフィルム状弾性体を使用しているので、線状のゴム等を使用する場合と比較して、失禁パッド６０を身につけた使用者の肌に対して、弾性体４５が配置された部分が面状に当接できるので、不必要な刺激を与えず、装着の違和感を低減できる。また、線状のゴム等を弾性体として使用する場合より強い収縮力を発揮することで、比較的硬く、
剛性の高い第１の吸収体２３を、各スリット１５，１５・・・の箇所で変形させる上で十分な力を付与することができる。
【００４４】
本実施形態は以上のように構成されており、この失禁パッド６０では、失禁パッド２０と比較すると、第３の吸収体６２の構成に対応して、失禁パッド２０よりも大きく突出する凸部４７を有している。このため、失禁パッド２０と比較して、装着時に、より使用者の局部に適切に当接できるようにされている。そして、このような当接状態において、第３の吸収体６２が排出された液体等を急速かつ、より多量に拡散保持することできる。
それ以外の作用効果は第１の実施形態と同じである。
【００４５】
ところで本発明は上記実施の形態に限定されるものではない。
上述の実施の形態の吸収性製品の例として失禁パッドを図示しているが、これに限らず失禁パッド以外の吸収性製品、たとえば女性用生理用品や、オムツ等種々の製品に適用することができる。
また、上述の各実施形態の個別の構成は、必要により省略したり、説明しない他の構成と組み合わせてもよい。
【００４６】
【発明の効果】
以上説明したように、本発明によれば、失禁パッド，生理用ナプキン等の吸収性製品において、吸収体を配置した立体領域を使用者の身体の複雑な曲線に対応して、密接にフィットさせることで、排出された体液等が外に漏れだすことを防止することができる吸収性製品を提供することができる。
【図面の簡単な説明】
【図１】本発明の吸収性製品の第１の実施形態に係る失禁パッドの概略斜視図。
【図２】図１の失禁パッドの概略平面図。
【図３】図２のＡ−Ａ線概略断面図。
【図４】図２のＢ−Ｂ線概略断面図。
【図５】図１の失禁パッドの吸収体に設けたスリットの作用を説明する図。
【図６】図１の失禁パッドの使用方法を示す説明図。
【図７】図１の失禁パッドの吸収体に設けたスリットの構成を示す拡大平面図。
【図８】図１の失禁パッドの変形例１を示す要部拡大図。
【図９】図１の失禁パッドの変形例２を示す要部拡大図。
【図１０】図１の失禁パッドの変形例３を示す要部拡大図。
【図１１】本発明の吸収性製品の第２の実施形態に係る失禁パッドの概略平面図。
【図１２】本発明の吸収性製品の第２の実施形態に係る失禁パッドの概略斜視図。
【図１３】図１１のＤ−Ｄ線概略断面図。
【符号の説明】
１５，５５，５６，５７，５８・・・スリット、２０，６０・・・失禁パッド（吸収性製品）、２３・・・第１の吸収体、２５，２５・・・サイドバリア部、２６，２６・・・立体ギャザー部、２８・・・センター表面材、２９，３０・・・サイド表面材、３１，３１・・・股ギャザー部、３３・・・第２の吸収体、４３・・・切欠き部、４６，４６・・・スリット、４７・・・凸部、５１・・・変形部、Ｌ・・・失禁パッドの長手方向、Ｔ・・・失禁パッドの短手方向。
【図１】
2004089271.tif 000003
【図２】
2004089271.tif 000004
【図３】
2004089271.tif 000005
【図４】
2004089271.tif 000006
【図５】
2004089271.tif 000007
【図６】
2004089271.tif 000008
【図７】
2004089271.tif 000009
【図８】
2004089271.tif 000010
【図９】
2004089271.tif 000011
【図１０】
2004089271.tif 000012
【図１１】
2004089271.tif 000013
【図１２】
2004089271.tif 000014
【図１３】
2004089271.tif 000015